(57)【要約】【課題】  便器を覆う第１位置と便器から離れた第２位置との間で水平移動可能な収納部と、収納部に取り付けられた洗面器と、洗面器に接続された可撓性の排水配管とを備える洗面キャビネットであって、排水配管が水平に又は排水可能に勾配を付けて保持され、収納部の移動に追随して排水配管が移動する際に排水配管が傷付かず、収納部の内部空間が広く車椅子に座った人に取って使い勝手が良い洗面キャビネットを提供する。【解決手段】  便器を覆う第１位置と便器から離れた第２位置との間で水平移動可能な収納部と、収納部に取り付けられた洗面器と、洗面器に接続された可撓性の排水配管と、収納部内に配設されて前記排水配管が挿通され且つ挿通された排水配管を水平に又は排水可能に勾配を付けて保持する可撓性の排水配管保護具とを備え、収納部の移動に追随して排水配管と排水配管保護具とが一体的に移動する。【選択図】  図２
2007222358.tif 000002
【特許請求の範囲】
【請求項１】
便器を覆う第１位置と便器から離れた第２位置との間で水平移動可能な収納部と、収納部に取り付けられた洗面器と、洗面器に接続された可撓性の排水配管と、収納部内に配設されて前記排水配管が挿通され且つ挿通された排水配管を水平に又は排水可能に勾配を付けて保持する可撓性の排水配管保護具とを備え、収納部の移動に追随して排水配管と排水配管保護具とが一体的に移動することを特徴とする洗面キャビネット。
【請求項２】
洗面器に隣接して吐水具が収納部に取り付けられ、吐水具に接続された可撓性の給水配管が排水配管保護具に挿通され、可撓性の排水配管と可撓性の給水配管とは洗面キャビネットが配設される室の側壁又は配管収納スペースの側壁に形成された貫通穴に挿通され、前記貫通穴は収納部に常時対峙していることを特徴とする請求項１に記載の洗面キャビネット。
【請求項３】
排水配管保護具は、対向配置された一対のリンクプレートと前記一対のリンクプレートを連結する対向配置された一対の連結板とを有する複数のリンク体を備え、前記複数のリンク体は整列し、隣接するリンク体のリンクプレート同士が部分的に重畳して且つ当該重畳部を通りリンクプレートに直交して延在する軸線回りに相対回動可能に連結されており、整列したリンクプレートと連結板とにより排水配管挿通用の細長空間が形成され、排水配管保護具の長手方向の一端は収納部に固定され、他端は洗面キャビネットが配設される室の側壁又は配管収納スペースの側壁に固定され、排水配管保護具は、リンク体の一対のリンクプレートを上下に対向させた状態で、水平に又は前記細長空間に挿通された排水配管の排水を可能にする勾配を有して延在していることを特徴とする請求項１又は２に記載の洗面キャビネット。
【発明の詳細な説明】
【技術分野】
【０００１】
本発明は、洗面キャビネットに関するものである。
【背景技術】
【０００２】
便器を覆う第１位置と便器から離れた第２位置との間で水平移動可能な収納部と、収納部に取り付けられた洗面器と、洗面器に接続された可撓性の排水配管と、収納部に取り付けられ排水配管が載置され且つ載置された排水配管を水平に保持する棚板とを備え、排水配管は収納部に追随して移動することを特徴とする洗面キャビネットが特許文献１に開示されている。
特許文献１の洗面キャビネットには、便器不使用時に第１位置へ移動させることにより、洗面キャビネット設置スペースの利用可能面積を増加させることができるという利点が在る。棚板が排水配管を水平に保持するので、不要なトラップが形成されず、排水配管内に排水が溜まらない。
【特許文献１】実開昭６２−０５６６５７号公報
【発明の開示】
【発明が解決しようとする課題】
【０００３】
特許文献１の洗面キャビネットには、収納部に追随して排水配管が移動する際に排水配管が棚に対して相対移動し排水配管が擦れて傷付く、棚板の存在により収納部の内部空間が狭いので車椅子に座った人が洗面器を利用する際に収納部内に足を入れ難く、上体を洗面器に接近させ難く車椅子に座った人にとって使い勝手が悪い、等の問題がある。
本発明は上記課題に鑑みてなされたものであり、便器を覆う第１位置と便器から離れた第２位置との間で水平移動可能な収納部と、収納部に取り付けられた洗面器と、洗面器に接続された可撓性の排水配管とを備える洗面キャビネットであって、排水配管が水平に又は排水可能に勾配を付けて保持され、収納部の移動に追随して排水配管が移動する際に排水配管が傷付かず、収納部の内部空間が広く車椅子に座った人にとって使い勝手が良い洗面キャビネットを提供することを目的とする。
【課題を解決するための手段】
【０００４】
上記課題を解決するために、本発明においては、便器を覆う第１位置と便器から離れた第２位置との間で水平移動可能な収納部と、収納部に取り付けられた洗面器と、洗面器に接続された可撓性の排水配管と、収納部内に配設されて前記排水配管が挿通され且つ挿通された排水配管を水平に又は排水可能に勾配を付けて保持する可撓性の排水配管保護具とを備え、収納部の移動に追随して排水配管と排水配管保護具とが一体的に移動することを特徴とする洗面キャビネットを提供する。
本発明に係る洗面キャビネットには、便器不使用時に第１位置へ移動させることにより、洗面キャビネット設置スペースの利用可能面積が増加するという利点があり、また排水配管保護具が排水配管を水平に又は排水可能に勾配を付けて保持するので、不要なトラップが形成されず、排水配管内に排水が溜まらないという利点がある。
本発明に係る洗面キャビネットにおいては、収納部の移動に追随して可撓性の排水配管と可撓性の排水配管保護具とが一体的に移動するので、排水配管の排水配管保護具に対する相対移動が防止され、排水配管は傷付かない。本発明に係る洗面キャビネットは、収納部に棚板を有さず収納部の内部空間が広いので、車椅子に座った人は収納部に足を入れ易く、車椅子に座った人にとって使い勝手が良い。
【０００５】
本発明の好ましい態様においては、洗面器に隣接して吐水具が収納部に取り付けられ、吐水具に接続された可撓性の給水配管が排水配管保護具に挿通され、可撓性の排水配管と可撓性の給水配管とは洗面キャビネットが配設される室の側壁又は配管収納スペースの側壁に形成された貫通穴に挿通され、前記貫通穴は収納部に常時対峙している。
吐水具に接続した可撓性の給水配管を排水配管保護具に挿通することにより、収納部の移動に追随して可撓性の給水配管を移動させることができる。可撓性の排水配管と可撓性の給水配管とを、洗面キャビネットが配設される室の側壁又は配管収納スペースの側壁に形成されて収納部に常時対峙する貫通穴に挿通すれば、前記貫通穴は洗面キャビネットの収納部に隠れて洗面キャビネット使用者の視線に触れず、洗面キャビネット使用者に不快感を与えない。
【０００６】
本発明の好ましい態様においては、排水配管保護具は、対向配置された一対のリンクプレートと前記一対のリンクプレートを連結する対向配置された一対の連結板とを有する複数のリンク体を備え、前記複数のリンク体は整列し、隣接するリンク体のリンクプレート同士が部分的に重畳して且つ当該重畳部を通りリンクプレートに直交して延在する軸線周りに相対回動可能に連結されており、整列したリンクプレートと連結板とにより排水配管挿通用の細長空間が形成され、排水配管保護具の長手方向の一端は収納部に固定され、他端は洗面キャビネットが配設される室の側壁又は配管収納スペースの側壁に固定され、排水配管保護具は、リンク体の一対のリンクプレートを上下に対向させた状態で、水平に又は前記細長空間に挿通された排水配管の排水を可能にする勾配を有して延在している。
上記構成の排水配管保護具はリンクプレートが含まれる平面内では可撓性を有しているが、リンクプレートに直交する平面内では剛性が大きく可撓性を殆ど有さない。従って前記排水配管保護具は、リンク体の一対のリンクプレートを上下に対向させた状態で水平に延在する場合には排水配管を水平に保持することができ、リンク体の一対のリンクプレートを上下に対向させた状態で、前記細長空間に挿通された排水配管の排水を可能にする勾配を有して延在する場合には、排水可能に勾配を付けて排水配管を保持することができる。また上記構成の排水配管保護具は、収納部の移動に追随して、挿通された排水配管と一体的に移動することができる。
【発明の効果】
【０００７】
本発明により、便器を覆う第１位置と便器から離れた第２位置との間で水平移動可能な収納部と、収納部に取り付けられた洗面器と、洗面器に接続された可撓性の排水配管とを備える洗面キャビネットであって、排水配管が水平に又は排水可能に勾配を付けて保持され、収納部の移動に追随して排水配管が移動する際に排水配管が傷付かず、収納部の内部空間が広く車椅子に座った人に取って使い勝手が良い洗面キャビネットが提供される。
【発明を実施するための最良の形態】
【０００８】
本発明の実施例に係る洗面キャビネットを説明する。
図１に示すように、室１００の一側壁１０１に平行に、配管収納スペース１０２の側壁１０３が配設されている。配管収納スペース１０２の側壁１０３は実質的に室１００の側壁を形成している。配管収納スペース１０２内に、給水タンク１０４、給水タンク１０４への図示しない給水管、給水タンク１０４から便器への給水管１０５、水栓１０６、水栓１０６への図示しない給水管、水栓１０６から吐水具への可撓性ホース１０７、便器用排水管１０８、洗面器用排水管１０９が配設されている。
配管収納スペース１０２の側壁１０３に隣接して、室１００内に便器１と洗面キャビネット２とが配設されている。
便器１の給水口は配管収納スペース１０２の側壁１０３を貫通して室１００へ延びた給水管１０５に接続し、便器１の排水口は配管収納スペース１０２の側壁１０３を貫通する接続管を介して便器用排水管１０８に接続している。
【０００９】
洗面キャビネット２は、天板３ａと一対の前脚３ｂと前脚３ｂに取り付けられた両開き扉３ｃとを有する収納部３を備えている。前脚３ｂの下端に取り付けられたキャスター４が室１００の床面１１０に接地している。収納部３は、天板３ａの後端から垂下する取付板３ｄに固定されて水平に延在する可動レール５ａと配管収納スペース１０２の側壁１０３に固定されて水平に延在する固定レール５ｂとが複数のローラー５ｃを介して相対移動可能に係合した公知のスライドレール５に沿って、図２に示す便器１を上方から覆った第１位置と、図３に示す便器１から側方へ離れた第２位置との間で水平移動可能である。
洗面キャビネット２は、収納部３の天板３ａに取り付けられた洗面器６を備えている。洗面器６の排水口にＬ形の排水金具７が取り付けられている。可撓性の排水ホース８の一端が排水金具７に接続されている。排水ホース８の他端は、洗面器用排水管１０９に接続され配管収納スペース１０２の側壁１０３に形成された貫通穴１０３ａを通って室１００へ延びたＬ形の排水金具９に接続されている。
【００１０】
排水ホース８が挿通され且つ挿通された排水ホース８を水平に保持する可撓性の排水ホース保護具１０が収納部３内に配設されている。排水ホース保護具１０は、特開２０００−１２０８０７号公報、特開２００４−３２４８５１号公報等に開示された公知技術であり、市販されている。
排水ホース保護具１０の構造を概説する。図４に示すように、排水ホース保護具１０は、対向配置された一対のリンクプレート１０ａと、前記一対のリンクプレート１０ａを連結する対向配置された一対の連結板１０ｂとを有する複数のリンク体１０’を備えている。前記複数のリンク体１０’は整列し、隣接するリンク体１０’のリンクプレート１０ａ同士が部分的に重畳し、より具体的には一方のリンク体１０’の一対のリンクプレート１０ａが、他方のリンク体１０’の一対のリンクプレート１０ａを挟んだ状態で隣接するリンク体１０’のリンクプレート１０ａ同士が部分的に重畳し、且つ当該重畳部を通りリンクプレート１０ａに直交して延在する軸線Ｘ周りに相対回動可能に連結されている。整列したリンクプレート１０ａと連結板１０ｂとにより排水ホース８挿通用の細長空間１０ｃが形成されている。排水ホース保護具１０の長手方向の一端は排水金具７の近傍に位置決めされ且つ図示しない金具を介して収納部３に固定され、長手方向の他端は排水金具９の近傍に位置決めされ且つ図示しない金具を介して配管収納スペース１０２の側壁１０３に固定されている。排水ホース保護具１０は、リンク体１０’の一対のリンクプレート１０ａを上下に対向させた状態で、水平に延在している。
排水ホース保護具１０はリンクプレート１０ａが含まれる平面内では可撓性を有しているが、リンクプレート１０ａに直交する平面内では剛性が大きく可撓性を殆ど有さない。従って排水配管保護具１０は、リンク体１０’の一対のリンクプレート１０ａを上下に対向させた状態で、水平に延在する場合には排水ホース８を水平に保持することができる。又排水ホース保護具１０は、収納部３の移動に追随して、挿通された排水ホース８と一体的に移動することができる。
【００１１】
洗面キャビネット２は、天板３ａに取り付けられた吐水具１１を備えている。吐水具１１は可撓性の給水ホース１０７を介して水栓１０６に接続している。可撓性の給水ホース１０７は、排水ホース保護具１０の細長空間１０ｃに挿通されると共に配管収納スペース１０２の側壁１０３に形成された貫通穴１０３ａを通って、配管収納スペース１０２へ延びている。
【００１２】
本実施例に係る洗面キャビネット２には、便器１の不使用時に、図２に示すように収納部３をガイドレール５に沿って第１位置、すなわち便器１を上方から覆う位置へ水平移動させることにより、洗面キャビネット設置スペースである室１００の利用可能面積が増加するという利点があり、また排水ホース保護具１０が排水ホース８を略水平に保持するので、不要なトラップが形成されず、排水ホース８内に排水が溜まらないという利点がある。
便器１の使用時には、図３に示すように収納部３をガイドレール５に沿って第２位置、すなわち便器１から側方へ離れた位置へ水平移動させれば良い。
【００１３】
本実施例に係る洗面キャビネット２においては、図２、３に示すように、収納部３がガイドレール５に沿って水平移動する際に、収納部３の移動に追随して、可撓性の排水ホース保護具１０と、排水ホース保護具１０に挿通された可撓性の排水ホース８とが、一体的に移動するので、排水ホース８の排水ホース保護具１０に対する相対移動が防止され、排水ホース８は傷付かない。
本実施例に係る洗面キャビネット２は、収納部３に棚板を有さず収納部３の内部空間が広いので、車椅子に座った人は収納部３内に足を入れ易い。従って、収納部３が図３に示す第２位置に在る時に、車椅子に座った人は、両開き扉３ｃを手前に開き、収納部３内に足を入れて、洗面器６と吐水具１１とに上体を接近させることができ、洗面器６と吐水具１１とを容易に利用することができる。従って本実施例に係る洗面キャビネット２は、車椅子に座った人にとって使い勝手が良い。
排水ホース保護具１０に挿通されると共に配管収納スペース１０２の側壁１０３の貫通穴１０３ａに挿通された可撓性の給水ホース１０７は、収納部３の水平移動に支障なく追随して移動することができる。
図２、３から分かるように、配管収納スペース１０２の側壁１０３の貫通穴１０３ａは、洗面キャビネット２が左右に移動しても、収納部３に常時対峙して収納部３の後ろに常時隠れているので、洗面キャビネット使用者の視線に触れず、洗面キャビネット使用者に不快感を与えない。
【００１４】
図５に示すように、排水ホース保護具１０を、リンク体１０’の一対のリンクプレート１０ａを上下に対向させた状態で、細長空間１０ｃに挿通された排水ホース８の排水を可能にする勾配を有して延在させても良い。この場合、排水ホース保護具１０は、排水ホース８を排水可能に勾配を付けて保持することになる。
【００１５】
配管収納スペース１０２の側壁１０３は、図１、２に示すように室１００の対向する両側壁間に掛け渡されて実質的に室１００の側壁を形成しても良く、或いは、図１、２の室１００よりも大きな室の一側壁の下部の一部に当該側壁に沿って形成された箱型の配管収納スペースの側壁を形成しても良い。
給水タンク１０４に代えてフラッシュバルブを配設しても良い。水栓１０６に代えて自動水栓を配設しても良い。この場合、排水ホース保護具１０の細長空間１０ｃに、自動水栓機能部に接続される電気信号線を挿通しても良い。両開き扉３ｃを有する収納部３を、扉も前板も無いオープンカウンターに代えても良い。
【図面の簡単な説明】
【００１６】
【図１】本発明の実施例に係る洗面キャビネットの断面図である。
【図２】本発明の実施例に係る洗面キャビネットの上面図である。
【図３】本発明の実施例に係る洗面キャビネットの上面図である。
【図４】本発明の実施例に係る洗面キャビネットが備える排水ホース保護具の斜視図である。
【図５】本発明の他の実施例に係る洗面キャビネットの断面図である。
【符号の説明】
【００１７】
１  便器
２  洗面キャビネット
３  収納部
４  キャスター
５  ガイドレール
６  洗面器
７、９  排水金具
８  排水ホース
１０  排水ホース保護具
１１  吐水具
１００  室
１０３  配管収納スペースの側壁
１０３ａ  貫通穴
【図１】
2007222358.tif 000003
【図２】
2007222358.tif 000004
【図３】
2007222358.tif 000005
【図４】
2007222358.tif 000006
【図５】
2007222358.tif 000007